(57)【要約】【課題】ディスクの記録位置に応じて最適な記録パワーでデータを記録することの可能な光ディスク記録装置を提供する。【解決手段】本発明の光ディスク記録装置１００は、光ディスク１１０へのデータの記録が中断された中断位置を検出する中断検出部と、光ディスク１１０に記録されたデータに連続して新たなデータを記録するデータ記録部と、中断位置における再生信号品質を検出する再生信号検出部と、再生信号検出部にて検出された再生信号品質に応じて、新たなデータを記録する記録パワーを決定する記録パワー決定部と、を備えることを特徴とする。再生信号品質としては、アシンメトリやβ値、ジッター値等を用いることができる。【選択図】図４
2008041192.tif 000002
【特許請求の範囲】
【請求項１】
光ディスクにデータを記録する光ディスク記録装置であって、
前記光ディスクへのデータの記録が中断された中断位置を検出する中断検出部と、
前記光ディスクに記録された前記データに連続して新たなデータを記録するデータ記録部と、
前記中断位置における再生信号品質を検出する再生信号検出部と、
前記再生信号検出部にて検出された再生信号品質に応じて、前記新たなデータを記録する記録パワーを決定する記録パワー決定部と、
を備えることを特徴とする、光ディスク記録装置。
【請求項２】
前記再生信号検出部は、前記中断位置におけるアシンメトリを検出し、
前記記録パワー決定部は、前記再生信号検出部にて検出されたアシンメトリに応じて、前記記録パワーを決定することを特徴とする、請求項１に記載の光ディスク記録装置。
【請求項３】
前記再生信号検出部は、前記中断位置におけるβ値を検出し、
前記記録パワー決定部は、前記再生信号検出部にて検出されたβ値に応じて、前記記録パワーを決定することを特徴とする、請求項１に記載の光ディスク記録装置。
【請求項４】
前記再生信号検出部は、前記中断位置におけるジッター値を検出し、
前記記録パワー決定部は、前記再生信号検出部にて検出されたジッター値に応じて、前記記録パワーを決定することを特徴とする、請求項１〜３のいずれかに記載の光ディスク記録装置。
【請求項５】
前記光ディスクの記録位置と関連付けて記録パワーを記憶する記録パワー記憶部をさらに備え、
前記記録パワー決定部は、前記中断位置に応じて、前記記録パワー記憶部に記憶された記録パワーから選択して、前記記録パワーを決定することを特徴とする、請求項１に記載の光ディスク記録装置。
【請求項６】
光ディスクにデータを記録する光ディスク記録方法であって、
前記光ディスクへのデータの記録を中断する中断ステップと、
前記データの記録が中断された中断位置から連続して新たなデータを記録するときに、前記中断位置における再生信号品質を検出する再生信号品質検出ステップと、
前記検出された再生信号品質に応じて、前記新たなデータを記録するときの記録パワーを決定する記録パワー決定ステップと、
前記決定された記録パワーに基づいて、前記新たなデータを記録する記録ステップと、
を含むことを特徴とする、光ディスク記録方法。
【発明の詳細な説明】
【技術分野】
【０００１】
本発明は、光ディスク記録装置および光ディスク記録方法に関し、より詳細には、記録パワーの調整可能な、光ディスク記録装置および光ディスク記録方法に関する。
【背景技術】
【０００２】
光ディスクへの記録を行う際、通常ＯＰＣ（Ｏｐｔｉｍｕｍ  Ｐｏｗｅｒ  Ｃｏｎｔｒｏｌ）と呼ばれる最適記録パワーの選定が行われる。最適記録パワーは、データをディスクに記録する際の最適な記録パワーである。この最適記録パワーは、光ディスクに標準的に設けられているＰＣＡ（Ｐｏｗｅｒ  Ｃａｌｉｂｒａｔｉｏｎ  Ａｒｅａ）というＯＰＣを行うための専用領域に、記録パワーを変化させながら試し書きを行った結果に基づいて算出される。
【０００３】
光ディスク記録装置は、ＰＣＡへ試し書きをする際、記録を行うアドレスと、そのアドレスにおける記録パワーを記憶する。そして、試し書きを行った後、データの記憶されたアドレスの信号を読み出す。このとき、再生信号品質である、例えば信号のレベル、アシンメトリ、β値等を測定し、これらの値の大きさに基づいて最適記録パワーが決定される。
【０００４】
例えば、ＤＶＤ−ＲディスクのＰＣＡは、図１に示すように、ディスクの最内周の領域１１２（アドレス１Ｅ８００〜２０３Ｂ０）とされている。ＤＶＤ−Ｒディスクにおける記録パワーの決定方法は、まず、ＰＣＡ１１２に徐々に記録パワーを上げながらデータの試し書きを行う。例えば、光ディスク記録装置は、ディスクのアドレス２０３Ａ１では記録パワー１０ｍＷ、アドレス２０３Ａ２では記録パワー１０．５ｍＷ、アドレス２０３Ａ３では記録パワー１１ｍＷ、というように、アドレス２０３Ｂ０において記録パワー１８ｍＷで記録するまで、記録パワーを上昇させながら記録を行う。
【０００５】
次いで、アドレス２０３Ａ０〜２０３Ｂ０に記録されたデータを再生し、各アドレスのアシンメトリを測定する。アシンメトリは、記録パワーが適正パワーに対して小さければ正の値を示し、大きければ負の値を示す、記録状態を評価することの可能なパラメータのひとつである。一般的なディスクにおいては、アシンメトリが０％のとき最適記録パワーとなることから、アシンメトリが０％となる記録パワーを、ＰＣＡ１１２に記録したときの記録パワーから推定する。例えば、図２（ｂ）に示すように、アドレス２０３３Ａのアシンメトリが２％であり、アドレス２０３ＡＢのアシンメトリが−２％であったとき、アドレス２０３ＡＡの記録パワーが１５．０ｍＷ、アドレス２０３ＡＢの記録パワーが１５．５ｍＷであることから、図２（ａ）に示すように、アシンメトリが０％となる記録パワーは１５．２５ｍＷであると推定される。この結果より、光ディスク記録装置は、実際のデータ記録の際、記録パワー１５．２５ｍＷでディスクに記録を行う。
【０００６】
ＤＶＤ−Ｒディスクでは、また、Ｒ−ＯＰＣと呼ばれる手法も併用されている。Ｒ−ＯＰＣとは、温度変化等による最適記録パワーの変化に追随するために、記録を行うとともにそのときの反射光レベルが一定値となるように記録パワーを変化させるものである。これは、最適記録状態での記録時の反射光レベルは一定であるというＤＶＤ−Ｒディスクの特性に基づいたものである。
【０００７】
【特許文献１】特開２００５−１３５４８１号公報
【発明の開示】
【発明が解決しようとする課題】
【０００８】
しかし、ＰＣＡはディスクの最内周に規定されているが、実際のディスクの記録感度にはディスクの製造上ムラが生じる。このため、ディスクの記録位置により最適記録パワーが異なってしまい、ＯＰＣにより得た最適記録パワーが記録位置によっては適正でない場合があるという問題がある。このようなディスク上の記録位置による最適記録パワーのばらつきは、記録膜の感度ムラ、記録膜の反射率の相違、光ディスク記録装置にディスクを装着した際のスキュー等により引き起こされ、場合によっては、記録データの品質を大幅に悪化させることになる。
【０００９】
また、ＤＶＤ−Ｒにおいては、Ｒ−ＯＰＣにより上記問題はある程度改善されるものの、記録膜の反射率の相違が生じるとＲ−ＯＰＣは誤動作し、かえって記録品質を悪化させてしまうことがある。さらに、Ｒ−ＯＰＣの手法が有効であるのは、色素を焼くことにより記録を行う追記型ディスクのみであり、より多く使用されている書き換え可能な相変化型ディスク（例えば、ＤＶＤ±ＲＷ、ＣＤ−ＲＷ等）に対する有効なＲ−ＯＰＣ手法はないのが現状である。
【００１０】
そこで、本発明は、上記問題に鑑みてなされたものであり、本発明の目的とするところは、ディスクの記録位置に応じて最適な記録パワーでデータを記録することの可能な、新規かつ改良された光ディスク記録装置および記録方法を提供することにある。
【課題を解決するための手段】
【００１１】
上記課題を解決するために、本発明のある観点によれば、光ディスクにデータを記録する光ディスク記録装置が提供される。かかる光ディスク記録装置によれば、光ディスクへのデータの記録が中断された中断位置を検出する中断検出部と、光ディスクに記録されたデータに連続して新たなデータを記録するデータ記録部と、中断位置における再生信号品質を検出する再生信号検出部と、再生信号検出部にて検出された再生信号品質に応じて、新たなデータを記録する記録パワーを決定する記録パワー決定部と、を備えることを特徴とする。
【００１２】
本発明によれば、光ディスクに新たなデータを、データの記録が中断された中断位置から書き繋いで記録する際、中断位置を中断検出部により検出し、中断位置における再生信号品質を再生信号検出部により検出する。これにより、再生されたデータの再生信号品質を分析して記録パワーが最適な大きさであったか否かを判定する。記録パワーが適切な大きさでないと判定された場合には、記録パワー決定部により、その記録パワーが補正されて最適な記録パワーとなるように調節される。これにより、ディスクの記録位置に応じて最適な記録パワーを決定することができるので、信号品質も高めることが可能となる。
【００１３】
ここで、再生信号検出部は、中断位置における再生信号品質としてアシンメトリを検出する。このとき、記録パワー決定部は、再生信号検出部にて検出されたアシンメトリに応じて、記録パワーを決定する。アシンメトリは、記録パワーが最適記録パワーよりも大きければ正の値を示し、記録パワーが最適記録パワーよりも小さければ負の値を示す。したがって、アシンメトリを検出することにより、記録パワーの大きさが適切であるか否かを判定することができ、最適記録パワーとなるように補正することができる。
【００１４】
または、再生信号検出部は、中断位置における再生信号品質としてβ値を検出してもよい。記録パワー決定部は、再生信号検出部にて検出されたβ値に応じて、記録パワーを決定する。β値は、記録パワーが最適記録パワーよりも大きければ正の値を示し、記録パワーが最適記録パワーよりも小さければ負の値を示す。したがって、β値を検出することにより、記録パワーの大きさが適切であるか否かを判定することができ、最適記録パワーとなるように補正することができる。
【００１５】
さらに、再生信号検出部は、中断位置におけるジッター値を検出してもよい。記録パワー決定部は、再生信号検出部にて検出されたジッター値に応じて、記録パワーを決定する。ジッター値は、信号波形の振れを数値化したものであり、ジッター値が小さいほど信号品質がよい。したがって、ジッター値を測定することにより、信号品質の良し悪しについて判定することができ、その結果に基づいて最適記録パワーとなるように記録パワーを補正することができる。
【００１６】
また、本発明にかかる光ディスク記録装置は、光ディスクの記録位置と関連付けて記録パワーを記憶する記録パワー記憶部をさらに備えることもできる。これにより、記録パワー決定部は、中断位置に応じて記録パワー記憶部に記憶された記録パワーから選択して、記録パワーを決定することもできる。新たなデータの記録パワーは、例えば、新たなデータの記録位置と物理的に最も近い位置でデータの記録を行ったときの記録パワーを、記録パワー記録部から選択することにより決定することができる。これにより、データの記録を行う度に中断位置のデータを再生して記録パワーを決定しなくとも、最適な記録パワーでデータの記録を行うことができる。
【００１７】
また、本発明の他の観点によれば、光ディスクにデータを記録する記録方法が提供される。かかる記録方法によれば、光ディスクへのデータの記録を中断する中断ステップと、データの記録が中断された中断位置から連続して新たなデータを記録するときに、中断位置における再生信号品質を検出する再生信号品質検出ステップと、検出された再生信号品質に応じて、新たなデータを記録するときの記録パワーを決定する記録パワー決定ステップと、決定された記録パワーに基づいて新たなデータを記録する記録ステップと、を含むことを特徴とする。
【発明の効果】
【００１８】
以上説明したように本発明によれば、ディスクの記録位置に応じて最適な記録パワーでデータを記録することの可能な光ディスク記録装置および記録方法を提供することができる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
（第１の実施形態）
まず、図３に基づいて、本発明の第１の実施形態にかかる光ディスク記録装置について説明する。なお、図３は、本実施形態にかかる光ディスク記録装置１００の構成を示す構成図である。
【００２１】
本実施形態にかかる光ディスク記録装置１００は、光ディスク１１０と、スピンドルモータ１２０と、光ピックアップ１３０と、光ピックアップ駆動部１４０と、ドライバＩＣ１５０と、信号処理ＤＳＰ１６０と、不揮発性メモリ１７０と、バッファメモリ１８０と、インターフェース部１９０とを備える。
【００２２】
光ディスク１１０は、データの記録、再生にレーザ光を利用する記録媒体であり、例えば、ＤＶＤ±Ｒ、ＤＶＤ±ＲＷ等の種類がある。
【００２３】
スピンドルモータ１２０は、光ディスク１１０にデータを記録する際に、光ディスク１１０を所定の速度で安定に回転させるための駆動部である。また、スピンドルモータ１２０は、光ディスク１１０を保持する機構を備えている。
【００２４】
光ピックアップ１３０は、光ディスク１１０へのデータの記録や光ディスク１１０に記録されたデータの再生を行う機能部である。本実施形態にかかる光ピックアップ１３０は、光ディスク１１０における記録の中断位置を検出する中断検出部、そして、中断位置における再生信号品質を検出する再生信号検出部の機能を備えることを特徴とする。このため、光ピックアップ１３０は、例えば、レーザダイオード等の光源や、光ディスク１１０からの反射光を検出するための受光素子を備えている。光ピックアップ１３０は、受光素子によって検出された光ディスク１１０からの反射光を解析することにより、光ディスク１１０における記録の中断位置の検出や、再生信号品質の検出を行うことができる。また、光ピックアップ１３０は、光源、対物レンズ、レンズ等を移動させて焦点を合わせるためのアクチュエータを備える。
【００２５】
光ピックアップ駆動部１４０は、光ピックアップ１３０を光ディスク１１０の半径に沿って内周から外周まで移動させる駆動部であり、例えばスレッドモータが用いられる。また、光ピックアップ駆動部１４０は、光ピックアップ１３０を搭載して移動させる軸を備えている。
【００２６】
ドライバＩＣ１５０は、スピンドルモータ１２０、光ピックアップ１３０のアクチュエータ、光ピックアップ駆動部１４０を駆動するための機能部である。ドライバＩＣ１５０は、後述する信号処理ＤＳＰ１６０から出力される制御信号に基づいて、各モータを駆動させる。
【００２７】
信号処理ＤＳＰ１６０は、光ディスク記録装置１００全体の信号処理や制御を行う機能部であり、本実施形態において、光ピックアップ１３０により検出された再生記録信号に応じて最適記録パワーを決定する機能を備える。さらに、信号処理ＤＳＰ１６０は、例えば、光ピックアップ１３０からの信号を演算するＲＦアンプ機能、光ピックアップ１３０からの信号からサーボ信号を取り出してサーボ制御を行うサーボ制御機能、再生した信号からデータを取り出し、記録のためのデータ変調を行うエンコーダ／デコーダ機能、これらの機能を制御し、光ディスク記録装置１００外部との通信を行うマイクロコンピュータ等の機能を有する。なお、本実施形態では、これらの機能を信号処理ＤＳＰ１６０に備えるが、本発明はかかる例に限定されず、それぞれ独立した部品として備えてもよい。
【００２８】
不揮発性メモリ１７０は、信号処理ＤＳＰ１６０内のマイクロコンピュータのプログラムや各種設定値、ＯＰＣにより決定された記録パワーデータ、実際に光ディスク１１０にデータを記録したときの記録パワー等が記憶される記憶部である。ここで、実際に光ディスク１１０にデータを記録したときの記録パワーは、その記録パワーで記録した光ディスク１１０の記録位置を関連付けて不揮発性メモリ１７０に記憶されている。
【００２９】
バッファメモリ１８０は、光ディスク１１０に記録または光ディスク１１０から再生したデータを外部機器２００との入出力のために一時的に記憶される記憶部である。なお、本実施形態において、不揮発性メモリ１７０、バッファメモリ１８０は、それぞれ独立して設けられているが、本発明はかかる例に限定されず、例えば、上述の信号処理ＤＳＰ１６０内に備えることもできる。
【００３０】
インターフェース部１９０は、光ディスク記録装置１００と、コンピュータやビデオカメラ等の外部機器とを接続するための接続部である。インターフェース部１９０は、ＡＴＡＰＩ規格が適用されることが多い。
【００３１】
このような光ディスク記録装置１００は、インターフェース部１９０を介して記録／再生バックエンド等の外部機器２００と接続されて、外部機器２００からのデータを出力したり、外部機器２００へデータを入力したりする。ここで、例えば映像データや音声データ等のデータを、光ディスク記録装置１００を用いて光ディスク１１０に記録する場合、通常、記録すべきデータの時間当たりのデータ量は実際の光ディスク１１０へのデータ記録速度よりも遅い。このため、光ディスク１１０へのデータの記録は、一定量のデータを記録すると記録を中断し、記録するに十分なデータが蓄積されてからデータの記録を再開するといった間欠記録が行われる。
【００３２】
間欠記録が行われる場合、再開されるデータの記録は、直前に記録を中断した光ディスク１１０の中断位置に書き繋ぐように行われる。このとき、本実施形態にかかる光ディスク記録装置１００は、データの書き繋ぎを行う際、中断位置の再生記録品質であるアシンメトリを読み取り、データの記録を再開するときの最適記録パワーを決定することを特徴とする。
【００３３】
次に、図１および図４に基づいて、本実施形態にかかる光ディスクへの記録方法について説明する。なお、図４は、本実施形態にかかる光ディスク記録方法を示すフローチャートである。
【００３４】
本実施形態にかかる光ディスク記録方法では、まず、外部機器２００から記録開始命令が発行されると、記録されるデータがバッファメモリ１８０に一時的に記憶される。バッファメモリ１８０にデータが蓄積されると、光ディスク記録装置１００は、光ディスク１１０にデータを記録する際の最適記録パワーを求めるためにＯＰＣを実施する（Ｓ１０１）。ＯＰＣは、上述したように、試し書き領域であるＰＣＡ１１２にて行われ、これにより最適記録パワーが決定される（Ｓ１０３）。
【００３５】
次いで、光ディスク１１０の記録エリア１１１に、バッファメモリ１８０に蓄積されたデータを記録する（Ｓ１０５）。光ディスク１１０の記録エリア１１１は、ＰＣＡ１１２と、実際にデータが記憶されるＰＣＡ１１２より外側の領域１１３と、からなる。最初に記録されるデータは、例えば記録エリア１１１のうち、領域１１３の最内位置である記録位置Ａから記録される。ここで、記録すべきデータの時間当たりのデータ量が実際の光ディスク１１０へのデータ記録速度よりも遅いときには、バッファメモリ１８０に記憶された一定量のデータを記録すると光ディスク１１０への記録は停止される（Ｓ１０７）。例えば、１回の記録で、記録位置Ａから記録位置Ｂまでデータが記録されたとする。この場合、記録位置Ｂが中断位置となる。
【００３６】
データの記録が中断されると、さらにデータを記録するか否か判定する（Ｓ１０９）。かかる判定は、例えばバッファメモリ１８０にデータが蓄積させているか否か、および外部機器２００からの記録停止命令が発行されているか否かにより行うことができる。バッファメモリ１８０に蓄積されたデータがなく、記録停止命令が発行されている場合には、アドレスにデータの記録を中断した中断位置における記録パワーを記録して、記録を停止する（Ｓ１１１）。
【００３７】
一方、バッファメモリ１８０にデータが蓄積されていたり、外部機器２００からの記録停止命令が発行されていない等から、データの記録が継続して行われる場合には、まず、データの書き繋ぎが行われる中断位置より少し前の記録位置からデータの再生を行う（Ｓ１１３）。例えば、中断位置Ｂよりデータを記録する場合、光ディスク記録装置１００の光ピックアップ１３０を、光ピックアップ駆動部１４０により中断位置Ｂより内部（光ディスク１１０の回転中心側）の位置Ｂ’へ移動させることにより、中断位置Ｂより少し前の記録位置Ｂ’からデータを再生することができる。この場合、位置Ｂ’から位置Ｂまでのデータを再生させることにより、数フレーム、例えば２〜４フレーム程度のデータが再生されて、そのうち数分の１フレームを読み取ることができればよい。
【００３８】
次いで、ステップＳ１１３にて再生させたデータから、光ピックアップ１３０により、中断位置におけるアシンメトリを検出する（Ｓ１１５）。ステップＳ１１５におけるアシンメトリの測定は、例えば上述したＯＰＣ動作時と同様の処理によって行うことができる。
【００３９】
ステップＳ１１５にてアシンメトリを検出すると、光ディスク記録装置１００は、検出されたアシンメトリの大きさをチェックする（Ｓ１１７）。アシンメトリは、上述したように、記録信号を再生した信号の対象性のずれを表すものであり、記録パワーの品質の目安となる。一般に、アシンメトリが大きい場合には、記録パワーが過小であり、アシンメトリが小さい場合には、記録パワーが過大である。
【００４０】
ここで、図５Ａ〜図５Ｃ、図６Ａ〜図６Ｃに基づき、アシンメトリと記録パワーとの関係について詳細に説明する。なお、図５Ａ〜５Ｃは、アシンメトリを説明するための、ＲＦ信号を模式的に示したグラフであり、図５Ａは記録パワーが小さい場合を、図５Ｂは記録パワーが最適パワーである場合を、図５Ｃは記録パワーが大きい場合を示す。また、図６Ａ〜６Ｃは、ＲＦ信号の波形を示したグラフであり、図６Ａは記録パワーが小さい場合を、図６Ｂは記録パワーが最適パワーである場合を、図６Ｃは記録パワーが大きい場合を示す。なお、図６Ａ〜６Ｃは、図５Ａ〜５Ｃと測定信号の極性が逆転しているため、図５Ａ〜５Ｃとは逆の傾向を示している。
【００４１】
まず、アシンメトリは、下記の数式１で表される。
【００４２】
【数１】
2008041192.tif 000003
【００４３】
ここで、Ｉ１は光ディスク１１０への最長記録長であるＴ１の再生信号の振幅の大きさを表す。ここで、Ｉ１＝Ｉ１Ｈ−Ｉ１Ｌであって、Ｉ１Ｈは最大レベル、Ｉ１Ｌは最小レベルである。また、Ｉ２は光ディスク１１０への最短記録長であるＴ２の再生信号の大きさを表す。ここで、Ｉ２＝Ｉ２Ｈ−Ｉ２Ｌであって、Ｉ２Ｈは最大レベル、Ｉ２Ｌは最小レベルである。数式１に示すように、アシンメトリは、最長記録長の平均ＤＣレベルと最短記録長の平均ＤＣレベルとの差の、最大記録長の大きさに対する割合を表す。
【００４４】
アシンメトリは、光ディスク１１０からの戻り光のレベルに基づいて決定される。図５Ａ〜図５Ｃに示すグラフは、光ディスク１１０からの反射光がないときの値を０としている。このため、信号はすべて正の値となる。光ディスク１１０へのデータの記録は、鏡面である光ディスク１１０にピットを形成して光の反射を少なくすることにより行われる。したがって、記録パワーが小さくてもピットを形成しやすい長いピットでは光ディスク１１０からの戻り光が小さいため、戻り光のレベルは０に近づく。一方、短いピットは、記録パワーが小さいとピットが形成されにくくなるため、光ディスク１１０からの戻り光が十分に小さくならず、平均レベルが高くなる。
【００４５】
以上より、記録パワーが最適記録パワーより小さい場合には、図５Ａに示すように、最短記録長の平均ＤＣレベルの値が高くなる。このため、最長記録長の平均ＤＣレベルと最短記録長の平均ＤＣレベルとの差が負の値となり、アシンメトリも負の値となる。このとき、実際のＲＦ信号は、図６Ａに示すように、信号が全体的に下側に寄っている（図５Ａと測定信号の極性が逆転しているため）。
【００４６】
記録パワーが最適記録パワーと等しい場合には、図５Ｂに示すように、最長記録長の平均ＤＣレベルと最短記録長の平均ＤＣレベルとの差はほとんどないため、それぞれの再生信号は上下対称の波形となる。このとき、アシンメトリは０となる。このとき、実際のＲＦ信号は、図６Ｂに示すように、波形がほぼ上下対象となっている。
【００４７】
記録パワーが最適記録パワーより大きい場合には、図５Ｃに示すように、最短記録長の平均ＤＣレベルの値が低くなる。このため、最長記録長の平均ＤＣレベルと最短記録長の平均ＤＣレベルとの差は正の値となり、アシンメトリも正の値となる。このとき、実際のＲＦ信号は、図６Ｃに示すように、信号が全体的に上側に寄っている（図５Ｃと測定信号の極性が逆転しているため）。
【００４８】
このような記録パワーとアシンメトリとの関係から、アシンメトリが０よりも大きいときは、記録パワーを中断位置における記録パワーよりも所定の値だけ小さく設定する（Ｓ１１９）。例えば、中断位置Ｂにおけるアシンメトリが０より大きい場合、中断位置Ｂにおける記録パワーは最適記録パワーより大きいと判断される。そこで、中断位置Ｂに書き繋ぐデータを記録するときの記録パワーは、最適記録パワーに近づくように中断位置Ｂにおける記録パワーよりも所定の値ΔＰだけ小さく設定される。
【００４９】
また、アシンメトリが所定の値が０よりも小さいとき、記録パワーを中断位置における記録パワーよりも所定の値だけ大きく設定する（Ｓ１２１）。例えば、中断位置Ｂにおけるアシンメトリが０より小さい場合、中断位置Ｂにおける記録パワーは最適記録パワーより小さいと判断される。そこで、中断位置Ｂに書き繋ぐデータを記録するときの記録パワーは、最適記録パワーに近づくように中断位置Ｂにおける記録パワーよりも所定の値ΔＰだけ大きく設定される。
【００５０】
なお、アシンメトリが０であるとき、中断位置Ｂにおける記録パワーは最適記録パワーとほぼ等しい。したがって、中断位置Ｂに書き繋ぐデータを記録するときの記録パワーは、中断位置Ｂにおける記録パワーと同一の値に設定される。
【００５１】
このように、ステップＳ１１９、Ｓ１２１において、新たなデータを記録するときの記録パワーが設定されると、ステップＳ１０５に戻り、データの記録が行われる。
【００５２】
なお、本実施形態では、アシンメトリが０であるか、または０より大きいか、小さいか判定した結果に基づいて、記録パワーの補正を行ったが、本発明はかかる例に限定されず、例えば、アシンメトリが所定の値±α以内（例えば±２％以内）であれば直前と同一の記録パワーとし、α（例えば２％）より大きければ所定の値だけ記録パワーを小さく設定し、−α（例えば−２％）より小さければ所定の値だけ記録パワーを大きく設定するようにしてもよい。また、記録パワーの補正量を、アシンメトリの大きさに応じて変化させてもよい。これにより、記録パワーをより最適記録パワーに近づけることができる。
【００５３】
以上、本実施形態にかかる光ディスク記録方法について説明した。かかる方法によれば、データの書き繋ぎを行う毎にアシンメトリに基づいて記録パワーの補正が行われる。これにより、光ディスク１１０の記録位置の違いにより発生する最適記録パワーのずれを補正することが可能となる。また、かかる方法では、光ディスク１１０の実際に記録する位置の直前に記録された信号に基づいて、データを書き繋ぐときの記録パワーが決定される。このように、実際に使用された信号を用いることにより、通常のＲ−ＯＰＣ手法よりも高い精度で補正をすることが可能となる。したがって、Ｒ−ＯＰＣ手法が開発されていない相変化型ディスクについても、本実施形態の記録方法を適用することができる。
【００５４】
（第２の実施形態）
次に、図７〜図８Ｃに基づいて、本発明の第２の実施形態にかかる光ディスク記録方法について説明する。本実施形態にかかる光ディスク記録方法は、第１の実施形態と比較して、アシンメトリの代わりにβ値を光ピックアップにより検出して、光ディスクにデータを記録するときの記録パワーを決定する点で相違する。以下、本実施形態にかかる光ディスク記録方法について説明するが、第１の実施形態にかかる光ディスク記録方法と同一の処理については詳細な説明を省略する。なお、図７は、本実施形態にかかる光ディスク記録方法を示すフローチャートである。図８Ａ〜８Ｃは、β値を説明するための、ＲＦ信号を模式的に示したグラフであり、図８Ａは記録パワーが小さい場合を、図８Ｂは記録パワーが最適パワーである場合を、図８Ｃは記録パワーが大きい場合を示す。また、本実施形態にかかる光ディスク記録方法を適用する光ディスク装置１００は、図３と同様の構成とする。
【００５５】
本実施形態にかかる光ディスク記録方法において、ステップＳ２０１〜Ｓ２１３の処理は、第１の実施形態にかかる光ディスク記録方法のステップＳ１０１〜Ｓ１１３と同一の処理で行われる。
【００５６】
次いで、ステップＳ２１３において再生させたデータから、光ピックアップ１３０により、中断位置におけるβ値を検出する（Ｓ２１５）。ステップＳ２１５におけるβ値の測定は、第１の実施形態で説明したアシンメトリの測定と同様に行われる。
【００５７】
ここで、β値は、下記の数式２で表される値である。
【００５８】
【数２】
2008041192.tif 000004
【００５９】
Ａ１、Ａ２は光ディスク１１０の再生信号をＡＣ結合したときの最長記録長であるＴ１の再生信号の振幅の大きさを表し、Ａ１は最大レベル、Ａ２は最小レベルである。数式２に示すように、β値は、再生信号全部の平均レベルに対する最長記録長の平均レベルの、振幅の大きさに対する割合を表し、アシンメトリの代替となるものである。
【００６０】
β値は、光ディスク１１０からの戻り光である再生ＲＦ信号をＡＣ結合した結果から算出される。再生ＲＦ信号をＡＣ結合した結果より、全信号の平均レベルは０となり、Ａ１は正の値、Ａ２は負の値を示す。したがって、再生ＲＦ信号の波形が上下対象であればβ値は０となる。β値は、アシンメトリと同様、光ディスク１１０へのデータの記録パワーが小さいとき、短いピットでは平均レベルが高くなるため正の値となり、長いピットでは平均レベルが低くなるため負の値を示す。
【００６１】
ステップＳ２１５にてβ値が検出されると、検出されたβ値の大きさをチェックする（Ｓ２１７）。β値は記録信号を再生した信号（再生ＲＦ信号）の対象性のずれを表すものであり、記録パワーの品質の目安となる。一般に、β値が大きい場合には、記録パワーが過小であり、β値が小さい場合には、記録パワーが過大である。
【００６２】
すなわち、記録パワーが最適記録パワーより小さい場合には、図８Ａに示すように、最長記録長の平均ＤＣレベルの値が低くなり、β値は負の値となる。記録パワーが最適記録パワーと等しい場合には、図８Ｂに示すように、最長記録長の平均ＤＣレベルはほぼ０であり、再生ＲＦ信号は上下対称の波形となる。このとき、β値は０となる。また、記録パワーが最適記録パワーより大きい場合には、図８Ｃに示すように、最長記録長の平均ＤＣレベルの値が高くなり、β値は正の値となる。
【００６３】
したがって、β値が０よりも大きいときは、記録パワーを中断位置における記録パワーよりも所定の値だけ小さく設定する（Ｓ２１９）。例えば、中断位置Ｂにおけるβ値が０より大きい場合、中断位置Ｂにおける記録パワーは最適記録パワーより大きいと判断される。そこで、中断位置Ｂに書き繋ぐデータを記録するときの記録パワーは、最適記録パワーに近づくように中断位置Ｂにおける記録パワーよりも所定の値ΔＰだけ小さく設定される。
【００６４】
また、β値が０よりも小さいときは、記録パワーを中断位置における記録パワーよりも所定の値だけ大きく設定する（Ｓ２２１）。例えば、中断位置Ｂにおけるβ値が０より小さい場合、中断位置Ｂにおける記録パワーは最適記録パワーより小さいと判断される。そこで、中断位置Ｂに書き繋ぐデータを記録するときの記録パワーは、最適記録パワーに近づくように中断位置Ｂにおける記録パワーよりも所定の値ΔＰだけ大きく設定される。
【００６５】
なお、β値が０であるとき、中断位置Ｂにおける記録パワーは最適記録パワーとほぼ等しい。したがって、中断位置Ｂに書き繋ぐデータを記録するときの記録パワーは、中断位置Ｂにおける記録パワーと同一の値に設定される。
【００６６】
このように、ステップＳ２１９、Ｓ２２１において、新たなデータを記録するときの記録パワーが設定されると、ステップＳ２０５に戻り、データの記録が行われる。
【００６７】
以上、本実施形態にかかる光ディスク記録方法について説明した。かかる方法によれば、データの書き繋ぎを行う毎にベータ値に基づいて記録パワーの補正が行われる。これにより、光ディスク１１０の記録位置の違いにより発生する最適記録パワーのずれを補正することが可能となる。また、かかる方法では、光ディスク１１０の実際に記録する位置の直前に記録された信号に基づいて、データを書き繋ぐときの記録パワーが決定される。このように、実際に使用された信号を用いることにより、通常のＲ−ＯＰＣ手法よりも高い精度で補正をすることが可能となる。したがって、Ｒ−ＯＰＣ手法が開発されていない相変化型ディスクについても、本実施形態の記録方法を適用することができる。
【００６８】
（第３の実施形態）
次に、図９に基づいて、本発明の第３の実施形態にかかる光ディスク記録方法について説明する。本実施形態にかかる光ディスク記録方法は、第１の実施形態と比較して、アシンメトリの代わりにジッター値を光ピックアップにより検出して、光ディスクにデータを記録するときの記録パワーを決定する点で相違する。以下、本実施形態にかかる光ディスク記録方法について説明するが、第１の実施形態にかかる光ディスク記録方法と同一の処理については詳細な説明を省略する。なお、図９は、本実施形態にかかる光ディスク記録方法を示すフローチャートである。また、本実施形態にかかる光ディスク記録方法を適用する光ディスク装置１００は、図３と同様の構成とする。
【００６９】
本実施形態にかかる光ディスク記録方法において、ステップＳ３０１〜Ｓ３１３の処理は、第１の実施形態にかかる光ディスク記録方法のステップＳ１０１〜Ｓ１１３と同一の処理である。
【００７０】
次いで、ステップＳ３１３において再生させたデータから、光ピックアップ１３０により、中断位置におけるジッター値を検出する（Ｓ３１５）。ジッター値は、均等化された後デジタル化されたデータの時間変化の標準偏差で表される。実際のＲＦ信号の波形は、例えば図６Ｂのようにアイパターンを示す。ジッター値は、アイパターンのエッジの振れを数値化したものであり、ジッター値が小さいほど、すなわちアイパターンのエッジ間の間隔が均一であるほど信号品質がよい。
【００７１】
ジッター値と信号品質との関係は、図６Ａ〜６Ｃからも認識することができる。記録パワーが小さい場合には、図６Ａに示すように、アイパターンの目がぼやけており、エッジの振れが大きい。一方、記録パワーが最適な値である場合は、図６Ｂに示すように、アイパターンの目ははっきりと開いており、エッジの振れが小さい。また、記録パワーが大きい場合は、図６Ｃに示すように、アイパターンの目がぼやけており、エッジの振れが大きい。このように、記録パワーが過小または過大である場合、すなわち信号品質がよくない場合は、エッジの振れが大きく、ジッター値が大きい。一方、記録パワーが最適である場合、すなわち信号品質がよい場合は、エッジの振れは小さく、ジッター値が小さい。
【００７２】
そこで、ステップＳ３１５においてジッター値を測定し、ジッター値の大きさを判定する（Ｓ３１７）。ステップＳ３１７において測定されたジッター値が、前回測定されたデータのジッター値より小さいときには、記録パワーは最適な値であると判断し、記録パワーの補正を行うことなく、次のデータを記録する。一方、前回測定されたデータのジッター値より大きいときは、記録パワーが適切でないと判断し、記録パワーの補正を行う。
【００７３】
ここで、ジッター値から信号品質の良し悪しについて認識することはできるが、記録パワーが過小であるのか、過大であるのかは判断することができない。このため、本実施形態にかかる記録方法では、直前に記録されたデータのＲＦ信号のＲＦレベルを測定する（Ｓ３１９）。ＲＦレベルは、ＲＦ信号の振幅であり、ＲＦレベルが大きいと記録パワーが過大であり、ＲＦレベルが小さいと記録パワーが過小である傾向にある。したがって、ＲＦレベルが基準値よりも大きいか否かを判定し（Ｓ３２１）、その判定結果に基づいて、記録パワーの補正を行う。すなわち、ＲＦレベルが基準値よりも小さい場合には、記録パワーを所定の値ΔＰだけ大きくする（Ｓ３２３）。一方、ＲＦレベルが基準値よりも大きい場合には、記録パワーを所定の値ΔＰだけ小さくする（Ｓ３２５）。
【００７４】
このように、ステップＳ３１７、Ｓ３２３、Ｓ３２５において、新たなデータを記録するときの記録パワーが設定されると、ステップＳ３０５に戻り、データの記録が行われる。
【００７５】
以上、第３の実施形態にかかる光ディスク記録方法について説明した。かかる方法によれば、データの書き繋ぎを行う毎にジッター値に基づいて記録パワーの補正が行われる。これにより、光ディスク１１０の記録位置の違いにより発生する最適記録パワーのずれを補正することが可能となる。また、かかる方法では、光ディスク１１０の実際に記録する位置の直前に記録された信号に基づいて、データを書き繋ぐときの記録パワーが決定される。このように、実際に使用された信号を用いることにより、通常のＲ−ＯＰＣ手法よりも高い精度で補正をすることが可能となる。したがって、Ｒ−ＯＰＣ手法が開発されていない相変化型ディスクについても、本実施形態の記録方法を適用することができる。
【００７６】
（第４の実施形態）
次に、図１０に基づいて、本発明の第４の実施形態にかかる光ディスク記録方法について説明する。本実施形態にかかる光ディスク記録方法は、第１の実施形態と比較して、ジッター値を用いて、記録パワーを補正することが適切であるか否かについてチェックする点で相違する。以下、本実施形態にかかる光ディスク記録方法について説明するが、第１の実施形態にかかる光ディスク記録方法と同一の処理については詳細な説明を省略する。なお、図１０は、本実施形態にかかる光ディスク記録方法を示すフローチャートである。また、本実施形態にかかる光ディスク記録方法を適用する光ディスク装置１００は、図３と同様の構成とする。
【００７７】
本実施形態にかかる光ディスク記録方法において、ステップＳ４０１〜Ｓ４１５の処理は、第１の実施形態にかかる光ディスク記録方法のステップＳ１０１〜Ｓ１１５と同一の処理である。
【００７８】
次いで、本実施形態にかかる光ディスク記録方法では、再生信号のジッター値を測定する（Ｓ４１７）。上述したように、ジッター値は小さいほど信号品質がよいことを表している。そこで、本実施形態では、記録パワー補正を行うことが適切であるか否かをチェックするための指標としてジッター値を用いる。
【００７９】
その後、ステップＳ４１５において検出されたアシンメトリの大きさをチェックして、記録パワーの補正が必要か否かを判定する（Ｓ４１９）。ステップＳ４１９におけるチェックは、第１の実施形態におけるステップ１１７の処理と同様である。アシンメトリの大きさが０のときは、記録パワーを補正することなく新たなデータの記録を行う。
【００８０】
一方、アシンメトリが０より大きい場合には、直前に記録されたデータのジッター値が前回測定したジッター値より悪化しているか否かをチェックする（Ｓ４２１）。そして、ジッター値が悪化していれば、信号品質が悪化していると判断し、記録パワーを所定の値ΔＰだけ小さくする（Ｓ４２３）。なお、ステップＳ４２１でジッター値が悪化していないと判定された場合には、記録パワーを補正することなく新たなデータの記録を行う。
【００８１】
また、アシンメトリが０より小さい場合にも、直前に記録されたデータのジッター値が前回測定したジッター値より悪化しているか否かをチェックする（Ｓ４２５）。そして、ジッター値が悪化していれば、信号品質が悪化していると判断し、記録パワーを所定の値ΔＰだけ大きくする（Ｓ４２７）。なお、ステップＳ４２５でジッター値が悪化していないと判定された場合には、記録パワーを補正することなく新たなデータの記録を行う。
【００８２】
このように、ステップＳ４１９、Ｓ４２７、Ｓ４２９において、新たなデータを記録するときの記録パワーが設定されると、ステップＳ４０５に戻り、データの記録が行われる。
【００８３】
以上、第４の実施形態にかかる光ディスク記録方法について説明した。かかる方法によれば、データの書き繋ぎを行う毎にアシンメトリに基づいて記録パワーの補正が行われる。これにより、光ディスク１１０の記録位置の違いにより発生する最適記録パワーのずれを補正することが可能となる。また、ジッター値を用いて記録パワーを補正することが適切であるか否かをチェックすることにより、記録パワーの補正をより適切に行うことができる。さらに、かかる方法では、光ディスク１１０の実際に記録する位置の直前に記録された信号に基づいて、データを書き繋ぐときの記録パワーが決定される。このように、実際に使用された信号を用いることにより、通常のＲ−ＯＰＣ手法よりも高い精度で補正をすることが可能となる。したがって、Ｒ−ＯＰＣ手法が開発されていない相変化型ディスクについても、本実施形態の記録方法を適用することができる。
【００８４】
なお、第２の実施形態に対して、本実施形態のようにジッター値により記録パワー補正を行うか否かのチェックを行うようにしてもよい。
【００８５】
（第５の実施形態）
次に、図１１に基づいて、本発明の第５の実施形態にかかる光ディスク記録方法について説明する。本実施形態にかかる光ディスク記録方法は、第１〜第４の実施形態の方法により決定された記録パワーを記憶部に記憶しておき、新たなデータの記録を行う際の記録パワーを、記憶部に記憶された記録パワーから選択するものである。以下、本実施形態にかかる光ディスク記録方法について説明するが、第１の実施形態にかかる光ディスク記録方法と同一の処理については詳細な説明を省略する。なお、図１１は、本実施形態にかかる光ディスク記録方法を示すフローチャートである。また、本実施形態にかかる光ディスク記録方法を適用する光ディスク装置１００は、図３と同様の構成とする。
【００８６】
まず、第１〜第４の実施形態の方法により、光ディスク１１０にデータを記録するときの記録パワーが決定されると、光ディスク記録装置１００は、例えば不揮発性メモリ１７０等の記憶部に、記録位置のアドレスおよび記録パワーを記憶する。
【００８７】
次いで、すでに記録されたデータに新しいデータを書き繋いで記録する場合、まず、データの記録位置を検出する（Ｓ５０１）。記録位置は光ディスク１１０のアドレスによって特定することができ、また、記録位置の検出は、光ピックアップ１３０により行うことができる。
【００８８】
記録位置を検出すると、光ディスク記録装置１００は、記憶部に記憶された複数の記録パワーの中から、記録位置に最も近い位置でデータを記録したときの記録パワーを選択する（Ｓ５０３）。ステップＳ５０３の処理は、例えば、ステップＳ５０１で検出された光ディスク１１０の記録位置のアドレスと物理的に近いアドレスを不揮発性メモリ１７０から検索し、検索されたアドレスと関連付けられた記録パワーを選択することにより行うことができる。そして、ステップＳ５０３にて選択された記録パワーを用いて、新たなデータを記録する（Ｓ５０５）。
【００８９】
このように、本実施形態にかかる光ディスク記録方法では、物理的に近い位置で用いられた記録パワーを用いて新たなデータを記録することにより、感度のムラの大きい光ディスクにおいても、最適な記録パワーでデータを記録することができる。また、データの記録を行う度に、中断位置におけるデータを再生して記録パワーを決定する必要がない。
【００９０】
なお、上記では、新たなデータを記録する記録位置のアドレスに最も近いアドレスに関連付けられた記録パワーを、新たなデータを記録する記録パワーとしたが、本発明はかかる例に限定されない。例えば、光ディスク１１０の記録エリアを分割して、各記録エリアにおける最適記録パワーを不揮発性メモリ１７０等の記憶部に記憶し、新たなデータを記録する記録位置が含まれる記録エリアの最適記録パワーにより、新たなデータを記録することもできる。
【００９１】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９２】
例えば、上記実施形態では、再生信号品質の大きさの程度によらず、記録パワーは所定の値だけ補正されたが、本発明はかかる例に限定されない。例えば、再生信号品質の大きさに応じて、記録パワーの補正量を調整するようにしてもよい。これにより、より最適な記録パワーでデータを記録することが可能となる。
【図面の簡単な説明】
【００９３】
【図１】光ディスクの記録位置を説明するための説明図である。
【図２】アシンメトリ測定を説明するための説明図であり、（ａ）は記録パワーとアシンメトリとの関係を示すグラフであり、（ｂ）はデータの記録位置における記録パワーおよびアシンメトリを示す表である。
【図３】本発明の第１の実施形態にかかる光ディスク記録装置の構成を示す構成図である。
【図４】同実施形態にかかる光ディスク記録方法を示すフローチャートである。
【図５Ａ】アシンメトリを説明するための、記録パワーが小さい場合のＲＦ信号を模式的に示したグラフである。
【図５Ｂ】アシンメトリを説明するための、記録パワーが最適パワーである場合のＲＦ信号を模式的に示したグラフである。
【図５Ｃ】アシンメトリを説明するための、記録パワーが大きい場合のＲＦ信号を模式的に示したグラフである。
【図６Ａ】記録パワーが小さい場合のＲＦ信号の波形を示したグラフである。
【図６Ｂ】記録パワーが最適パワーである場合のＲＦ信号の波形を示したグラフである。
【図６Ｃ】記録パワーが大きい場合のＲＦ信号の波形を示したグラフである。
【図７】本発明の第２の実施形態にかかる光ディスク記録方法を示すフローチャートである。
【図８Ａ】β値を説明するための、記録パワーが小さい場合のＲＦ信号を模式的に示したグラフである。
【図８Ｂ】β値を説明するための、記録パワーが最適パワーである場合のＲＦ信号を模式的に示したグラフである。
【図８Ｃ】β値を説明するための、記録パワーが大きい場合のＲＦ信号を模式的に示したグラフである。
【図９】本発明の第３の実施形態にかかる光ディスク記録方法を示すフローチャートである。
【図１０】本発明の第４の実施形態にかかる光ディスク記録方法を示すフローチャートである。
【図１１】本発明の第５の実施形態にかかる光ディスク記録方法を示すフローチャートである。
【符号の説明】
【００９４】
１００    光ディスク記録装置
１１０    光ディスク
１１２    ＰＣＡ
１２０    スピンドルモータ
１３０    光ピックアップ
１４０    光ピックアップ駆動部
１５０    ドライバＩＣ
１６０    信号処理ＤＳＰ
１７０    不揮発性メモリ
１８０    バッファメモリ
１９０    インターフェース部
２００    外部機器
【図１】
2008041192.tif 000005
【図２】
2008041192.tif 000006
【図３】
2008041192.tif 000007
【図４】
2008041192.tif 000008
【図５Ａ】
2008041192.tif 000009
【図５Ｂ】
2008041192.tif 000010
【図５Ｃ】
2008041192.tif 000011
【図６Ａ】
2008041192.tif 000012
【図６Ｂ】
2008041192.tif 000013
【図６Ｃ】
2008041192.tif 000014
【図７】
2008041192.tif 000015
【図８Ａ】
2008041192.tif 000016
【図８Ｂ】
2008041192.tif 000017
【図８Ｃ】
2008041192.tif 000018
【図９】
2008041192.tif 000019
【図１０】
2008041192.tif 000020
【図１１】
2008041192.tif 000021